(57)【要約】      （修正有）【課題】表示板の被照射面における照度低下を抑制しつつ、光源の写り込みによるハレーションを防止可能な表示灯を提供する。【解決手段】広告看板の被照射面の前方に位置し、前記被照射面を前方から投光照明する表示灯５であって、放電ランプ１１と、前記放電ランプ１１が放射する放射光を前記被照射面に向けて反射する主反射鏡１２とを有し、前記放電ランプ１１と前記被照射面との間に設けられ、前記放電ランプ１１から前記被照射面に直接向かう放射光の一部を前記主反射鏡１２に向けて反射し当該主反射鏡１２から前記被照射面に向けて照射する副反射鏡１４をさらに備える構成とした。【選択図】図２
2008216613.tif 000002
【特許請求の範囲】
【請求項１】
表示板の被照射面の前方に位置し、前記被照射面を前方から投光照明する表示灯であって、
光源と、前記光源が放射する放射光を前記被照射面に向けて反射する主反射鏡とを有し、前記光源と前記被照射面との間に設けられ、前記光源から前記被照射面に直接向かう放射光の一部を前記主反射鏡に向けて反射し当該主反射鏡から前記被照射面に向けて照射する副反射鏡をさらに備える
ことを特徴とする表示灯。
【請求項２】
請求項１に記載の表示灯において、
前記主反射鏡の反射光のうち、前記光源の放射光を直接反射してなる一次反射光が前記被照射面の遠方領域を照射し、前記前記副反射鏡にて反射された光を反射してなる二次反射光が前記遠方領域よりも近い領域を照射するように構成したことを特徴とする表示灯。
【請求項３】
請求項１又は２に記載の表示灯において、
前記副反射鏡の幅を前記光源の全長よりも短くし、
前記光源の中央部から放射された放射光の一部を前記副反射鏡により反射すると共に、前記光源の両端部から放射された放射光の少なくとも一部を前記被照射面に直接照射することを特徴とする表示灯。
【請求項４】
請求項３に記載の表示灯において、
前記副反射鏡は、前記光源側から前記光源の下側を覆うように当該光源の長軸に対して略垂直に延び、その延びた先端部の両側を切欠き、
前記光源から放射された放射光の一部を前記切欠部から前記副反射鏡を通過させ、照射方向に沿った遠方の両側を照射することを特徴とする表示灯。
【請求項５】
請求項１乃至４のいずれかに記載の表示灯において、
前記被照射面の上側に配置された場合に、
前記副反射鏡は、前記光源から放射された放射光のうち、略０°＜前方鉛直角θ１＜略６０°、略０°＜後方鉛直角θ２＜略１２０、略０°＜水平角θ３＜略１２０°の範囲の前記放射光を前記主反射鏡に向けて反射し当該主反射鏡から前記被照射面に向けて照射することを特徴とする表示灯。
【請求項６】
請求項５に記載の表示灯において、
前記主反射鏡は、
横型配光を有すると共に、
前記副反射鏡により反射された光を、前方を中心に両側に広がりを持たせて反射する反射面を有することを特徴とする表示灯。
【請求項７】
請求項１乃至６のいずれかに記載の表示灯において、
透過性樹脂剤から形成され、前記副反射鏡に反射させずに入射する放射光の入射角度が臨界角度よりも小さくなるように傾斜した傾斜部を有するグローブの縁の全周或いは一部に返し部を形成すると共に、前記器具本体の投光開口の周囲に沿って、止水用のパッキン部材が充填された嵌込部を形成し、前記グローブの縁を前記返し部と共に前記嵌込部に嵌め込み固定したことを特徴とする表示灯。
【発明の詳細な説明】
【技術分野】
【０００１】
本発明は、広告看板や標識板等の屋外に設置された表示板の照明に用いて好適な表示灯に係り、特に、照明時のハレーションを防止する技術に関する。
【背景技術】
【０００２】
従来、屋外に設置される広告看板などを照明する照明装置が知られている。この種の照明装置は、アームを被照射面の上端又は下端より突き出し、その先端にランプを内蔵した表示灯を装着し、被照射面の前方から投光照明するのが一般的である（例えば、特許文献１参照）。近年では、広告看板からの漏れ光（光害）の問題により、アームの取付位置を被照射面の上端とし、被照射面を上側前方から投光照明するのが主流となりつつある。
【特許文献１】特開平１０−２１４５０３号公報
【発明の開示】
【発明が解決しようとする課題】
【０００３】
しかしながら、広告看板を視認する人間の視点は通常、広告看板よりも下方に位置するため、被照射面を上側前方から投光照明する構成においては、ランプが被照射面に写り込んで高輝度ととなり、その部分の明るさが非常に強くなる現象（以下、「ハレーション」と言う）が生じ、さらに、表示灯の反射光によるハレーションも生じるため、これらのハレーションによって広告看板の文字や絵柄が見えにくくなる、といった問題がある。このような問題を解決するには、表示灯と被照射面との距離を大きくする手法や、表示灯の前面（光放射側）に拡散透過性ガラスグローブを設ける手法により、ランプの写り込みの低減を図ることが考えられる。
【０００４】
しかしながら、いずれの手法によっても、ランプの写り込みによるハレーションの抑制効果が低く、さらに、被照射面の照度が小さくなることから、被照射面の均一性が低下し、視認性が悪くなるといった問題がある。さらに、上記の手法においては、広告看板が矩形である場合に、上側二隅の照度低下が著しくなるという問題もある。
本発明は、上述した事情に鑑みてなされたものであり、表示板の被照射面における照度低下を抑制しつつ、光源の写り込みによるハレーションを防止することができる表示灯を提供することを目的とする。
【課題を解決するための手段】
【０００５】
上記目的を達成するために、本発明は、表示板の被照射面の前方に位置し、前記被照射面を前方から投光照明する表示灯であって、光源と、前記光源が放射する放射光を前記被照射面に向けて反射する主反射鏡とを有し、前記光源と前記被照射面との間に設けられ、前記光源から前記被照射面に直接向かう放射光の一部を前記主反射鏡に向けて反射し当該主反射鏡から前記被照射面に向けて照射する副反射鏡をさらに備えることを特徴とする。
【０００６】
また本発明は、上記発明において、前記主反射鏡の反射光のうち、前記光源の放射光を直接反射してなる一次反射光が前記被照射面の遠方領域を照射し、前記副反射鏡にて反射された光を反射してなる二次反射光が前記遠方領域よりも近い領域を照射するように構成したことを特徴とする。
【０００７】
また本発明は、上記発明において、前記副反射鏡の幅を前記光源の全長よりも短くし、前記光源の中央部から放射された放射光の一部を前記副反射鏡により反射すると共に、前記光源の両端部から放射された放射光の少なくとも一部を前記被照射面に直接照射することを特徴とする。
【０００８】
また本発明は、上記発明において、前記副反射鏡は、前記光源側から前記光源の下側を覆うように当該光源の長軸に対して略垂直に延び、その延びた先端部の両側を切欠き、前記光源から放射された放射光の一部を前記切欠部から前記副反射鏡を通過させ、照射方向に沿った遠方の両側を照射することを特徴とする。
【０００９】
また本発明は、上記発明において、前記被照射面の上側に配置された場合に、前記副反射鏡は、前記光源から放射された放射光のうち、略０°＜前方鉛直角θ１＜略６０°、略０°＜後方鉛直角θ２＜略１２０、略０°＜水平角θ３＜略１２０°の範囲の前記放射光を前記主反射鏡に向けて反射し当該主反射鏡から前記被照射面に向けて照射することを特徴とする。
【００１０】
また本発明は、上記発明において、前記主反射鏡は、横型配光を有すると共に、前記副反射鏡により反射された光を、前方を中心に両側に広がりを持たせて反射する反射面を有することを特徴とする。
【００１１】
また本発明は、上記発明において、透過性樹脂剤から形成され、前記副反射鏡に反射させずに入射する放射光の入射角度が臨界角度よりも小さくなるように傾斜した傾斜部を有するグローブの縁の全周或いは一部に返し部を形成すると共に、前記器具本体の投光開口の周囲に沿って、止水用のパッキン部材が充填された嵌込部を形成し、前記グローブの縁を前記返し部と共に前記嵌込部に嵌め込み固定したことを特徴とする。
【発明の効果】
【００１２】
本発明によれば、光源と、前記光源が放射する放射光を前記被照射面に向けて反射する主反射鏡とを有し、光源と被照射面との間に設けられ、前記光源から前記被照射面に直接向かう放射光の一部を主反射鏡に向けて反射し当該主反射鏡から前記被照射面に向けて照射する副反射鏡を備える構成としたため、光源から被照射面への放射光が副反射鏡により遮られて当該光源の写り込みによるハレーションの発生が防止可能となると共に、副反射鏡が反射する光が主反射鏡により反射され被照射面の照明に利用されるため被照射面の照度低下を抑制することができる。
【発明を実施するための最良の形態】
【００１３】
以下、図面を参照して本発明の実施の形態について説明する。
図１は、本実施形態に係る広告看板照明装置（以下、単に「照明装置」と言う）の側面図である。照明装置１は、略矩形の広告看板２の上縁３から前方に突出するように延びたアーム４と、このアーム４の先端に設けられ、広告看板２の広告面である被照射面２Ａを上側前方から投光照明する表示灯５を有している。なお、この図において、矢印Ａは、表示灯５の照明方向を示す。
【００１４】
図２は表示灯５の側面及び正面を共に示す図であり、図３は表示灯５の底面を示す図である。表示灯５は、光源たる放電ランプ１１と、当該放電ランプ１１が放射する光を広告看板２の被照射面２Ａに向けて反射する主反射鏡１２とを備える器具本体１０と、器具本体１０の前面の投光開口１００を覆う、透過性樹脂から形成されたグローブ１３とを有している。器具本体１０の背面側には、ヒンジ部９が設けられ、このヒンジ部９に上記アーム４の先端が取り付けられて、ヒンジ部９を中心に傾動自在に構成され、また、表示灯５の傾動角度が操作レバー９０の操作によって所望の角度に調整可能になされている。
【００１５】
上記放電ランプ１１は、例えばメタルハライドランプであり、発光管１１Ａを略円筒状の外管１１Ｂに収容して成り、器具本体１０の背面側に、外管１１Ｂが左右に延びる姿勢で取り付けられている。また、図３に示すように、主反射鏡１２は略楕円曲線の反射面を有し、左右中心軸Ｃ１に対して略線対称な形状に形成され、表示灯５を中心として左右対称な配光制御が主反射鏡１２によって行われる。さらに、この主反射鏡１２は、左右中心軸Ｃ１方向に長尺し、主反射鏡１２の配光が照射方向Ａに沿って延びる、いわゆる縦型配光となっており、本実施形態の表示灯５は、後に説明する図４に示すように、鉛直方向に延びた略矩形の広告看板２の照明に使用される。
【００１６】
さて、器具本体１０には、上記放電ランプ１１及び主反射鏡１２に加え、図２に示すように、副反射鏡１４が放電ランプ１１を挟んで主反射鏡１２と対向して設けられており、副反射鏡１４が放電ランプ１１と被照射面２Ａとの間に配置されている。この副反射鏡１４は、略放物線曲線反射面１４Ａを有し、放電ランプ１１の放射光のうち、被照射面２Ａに直接向かう放射光（以下、「直射光」と言う）の一部を主反射鏡１２の略中央のエリア１２０（図３参照）に向けて反射し、この主反射鏡１２から被照射面２Ａに向けて照射する。なお、図２において、符号Ｌ１は、放電ランプ１１から放射され、被照射面２Ａに向かう直射光のうち、上記副反射鏡１４により反射された光を示す。一般に、広告看板２の被照射面２Ａにおける放電ランプ１１の写り込みによるハレーションは、放電ランプ１１の直射光が被照射面２Ａに反射して発生するが、本実施形態によれば、この直射光が副反射鏡１４により主反射鏡１２に向けて反射され、これにより、直射光の被照射面２Ａへの照射が遮られるため、被照射面２Ａにおけるハレーションが防止されることとなる。
【００１７】
このとき、被照射面２Ａへの直射光を遮ればハレーションを防止することができるものの、直射光を遮蔽する分だけ照射光量が減るため、被照射面２Ａにおける照度が低下を招く。これに対して、本実施形態では、直射光を副反射鏡１４により主反射鏡１２に向けて反射し、当該主反射鏡１２の反射により二次反射光にして被照射面２Ａを照射するため、照度低下が抑制されることとなる。なお、この二次反射光は、主反射鏡１２により配光制御されるが、これについては、後に詳述する。
【００１８】
さて、一般に、放電ランプ１１と被照射面２Ａの照射点までの距離が長くなるほど、その照射点に届く光量が小さくなるため、上記ハレーションの防止には、表示灯５の近傍への直射光だけを遮り二次反射光とすれば十分であり、また、こうすることにより、被照射面２Ａにおける照度低下が必要最小限に抑えられる。
したがって、本実施形態では、図４に示すように、直射光の直射を遮る非直射領域３０を表示灯５の近傍に制限することでハレーションを防止し、また、広告看板２の左右端部２０Ａや下端部２０Ｂ等の表示灯５から遠方の箇所を直射光で照射し、これらの左右端部２０Ａ及び下端部２０Ｂにおける照度低下を防止している。
【００１９】
具体的には、前掲図２に示すように、副反射鏡１４は、放電ランプ１１の直射光の一部のみを反射する程度の長さだけ器具本体１０の背面側から正面側に向けて延出し、また、副反射鏡１４の横幅１４Ｗが放電ランプ１１の外管１１Ｂの全長よりも短く抑えられ、当該放電ランプ１１の両端部が副反射鏡１４から延び出る形状とされている。これにより、前掲図４に示すように、表示灯５の近傍の非直射領域３０に向かう直射光のみが副反射鏡１４により反射され、非直射領域３０よりも外側の領域、特に、照射方向Ａに沿った遠方に位置する下端部２０Ｂと、照射方向Ａと略直交する方向の遠方に位置する左右端部２０Ａと、さらに、表示灯５の左右方向における照度、すなわち、被照射面２Ａの上側の２隅Ｍ１、Ｍ２の各々に直射光が照射され、表示灯５から遠方の照明に直射光が効率的に利用される。
【００２０】
ここで、表示灯５の左右方向への光は、放電ランプ１１の延在方向と一致するため、他の方向への光よりも光量が小さく、さらに、遠方の被照射面２Ａの下端部２０Ｂにおける左右の２隅Ｍ３、Ｍ４では、何ら対策を施さなければ、表示灯５の左右方向における照度が低下する。そこで前掲図２の正面図に示すように、副反射鏡１４の先端部の両側のそれぞれに、放電ランプ１１の長軸方向に１０〜１２０ｍｍ、長軸に対して垂直方向に１０〜５０ｍｍの点をつないだ切欠部１４０Ａ、１４０Ｂを形成し、放電ランプ１１の放射光の一部を切欠部１４０Ａ、１４０Ｂから通過させ、広告看板２の下側の２隅Ｍ３、Ｍ４に向けて照射することで、これら２隅Ｍ３、Ｍ４における照度低下を防止している。なお、図４において、表示灯５から下側の２隅Ｍ３、Ｍ４に向けて延びる実線３０Ａ、３０Ｂのそれぞれが上記切欠部１４０Ａ、１４０Ｂに対応し、各切欠部１４０Ａ、１４０Ｂを通過する光は、実線３０Ａ、３０Ｂよりも外側（左右端部２０Ａ側）のエリアを照射している。
【００２１】
次いで、主反射鏡１２による配光制御について説明する。
上述したように、副反射鏡１４は非直射領域３０に向かう直射光を反射するが、それ以外の直射光は被照射面２Ａに照射される。このとき、非直射領域３０に光が全く照射されない訳ではなく、非制御反射光やグローブ１３の表面で拡散された光が非直射領域３０に到達し、このような光により、図５（Ａ）に示すように、表示灯５の最近傍領域３１が照明される。
【００２２】
しかしながら、主反射鏡１２の反射による一次反射光及び副反射鏡１４及び主反射鏡１２の反射による二次射光を被照射面２Ａに照射しないものとすると、上記最近傍領域３１において、表示灯５から所定距離内の領域３１Ａでは照明として十分な照度が維持されるが、領域３１Ａよりも外側の領域３１Ｂにおいては表示灯５からの距離により光量が小さくなるため照度が低くなる。
また、図５（Ｂ）に示すように、被照射面２Ａの下端部２０Ｂ側の最遠方領域３２には、上述の通り、直射光が照射されるものの表示灯５からの距離が遠いため、この最遠方領域３２においても照度が不足することがある。
さらに、図５（Ｃ）に示すように、最遠方領域３２と最近傍領域３１との間の中間領域３３においては、図４に示す非直射領域３０を含むことから、この非直射領域３０の影響により照度低下が生じることになる。
【００２３】
このように、被照射面２Ａにおいては、一次反射光及び二次反射光を被照射面２Ａに照射しないものとすると、最近傍領域３１の外側領域３１Ｂ、最遠方領域３２及び中間領域３３の各々で照度が低下するため、これを補うべく、主反射鏡１２は、放電ランプ１１の光を直接反射してなる一次反射光、及び、上記二次反射光の各々を配光制御して、上記領域３１Ｂ、３２、３３の各々に向けて照射するようにしている。
このとき、一次反射光よりも二次反射光の方においては反射回数が多く光量が小さくなることから、図５（Ｂ）に示す最遠方領域３２を一次反射光が照射し、また、図５（Ｃ）に示す中間領域３３を二次反射光が照射するように主反射鏡１２が配光制御することで、被照射面２Ａ全体の均斉度を高めている。
【００２４】
次いで、上記非直射領域３０、最遠方領域３２及び中間領域３３の大きさについて具体例を挙げて説明する。
前掲図４に示すように、表示灯５は、広告看板２の上縁３の中央に配置され、高さＨが６Ｍ（メートル）、横幅Ｗが４Ｍ（メートル）の寸法の広告看板２を照明するものとする。さらに、表示灯５は、広告看板２の被照射面２Ａから表示灯５の放電ランプ１１の中心までの垂直距離Ｄ１（図１参照）が略０．６６Ｍ（メートル）、被照射面２Ａから器具本体１０の頂部１０Ａまでの垂直距離である出幅Ｄ２（図１参照）が０．９５Ｍ（メートル）の位置にアーム４によって配置されるものとする。
【００２５】
このとき、副反射鏡１４は、図２に示すように、放電ランプ１１の中心軸Ｃ２を通る鉛直軸Ｋ１に対し、０°＜前方鉛直角θ１＜６０°、０°＜後方鉛直角θ２＜１２０°の角度範囲の放射光を主反射鏡１２に向けて反射し、また、左右方向を規定する水平軸Ｋ２に対し、０°＜水平角θ３＜１２０°の角度範囲を主反射鏡１２に向けて反射する。
より詳細には、本実施形態の副反射鏡１４は、鉛直角方向においては、０°＜前方鉛直角θ１＜４５°、０°＜後方鉛直角θ２＜９０°の角度範囲、すなわち、前方鉛直角方向及び後方鉛直角方向からなる鉛直角方向においては約３／４（＝１３５°／１８０°）の放射光を主反射鏡１２に向けて反射し、また、水平角方向においては、水平角θ３の角度範囲が約７１°の範囲、すなわち、左右方向においては約２／５（≒７１°／１８０°）の放射光を主反射鏡１２に向けて反射し、図４に示す非直射領域３０を形成している。これにより、被照射面２Ａには、表示灯５から照射方向Ａに沿って長さが約３．８Ｍ（メートル）、幅が約１．５Ｍ（メートル）の非直射領域３０が形成される。
【００２６】
さらに、最遠方領域３２が、図５（Ｂ）に示すように、表示灯５から照射方向Ａに沿って４．５Ｍ（メートル）よりも遠方の領域として規定され、また、中間領域３３が、図５（Ｃ）に示すように、表示灯５から照射方向Ａに沿って２Ｍ（メートル）〜５Ｍ（メートル）の間の領域として規定され、主反射鏡１２の配光制御により、最遠方領域３２に一次反射光が、中間領域３３に二次反射光が照射される。
【００２７】
以上のような主反射鏡１２の配光制御、及び、副反射鏡１４の形状により、広告看板２の被照射面２Ａをハレーションの発生を防止しつつ十分な照度で均斉度良く照明することが可能となる。特に、出幅Ｄ２が０．９５Ｍ（メートル）という値は、一般的な大型広告看板表示灯に比べて非常に小さな値であり、通常の大型広告看板表示灯であれば、被照射面２Ａと表示灯とが近接することで顕著なハレーションを生じるものである。これに対して、本実施形態の表示灯５においては、上述の副反射鏡１４により、出幅Ｄ２を０．９５Ｍ（メートル）としてもハレーションの発生が抑制され、さらに、被照射面２Ａの均斉度も高められる。
【００２８】
ところで、本実施形態では、表示灯５から遠方（例えば、前掲図４に示す隅Ｍ１〜Ｍ４）に向けて光を照射しているため、図６に示すように、遠方に向けて照射される光Ｌ２は水平方向に比較的近くなる。このとき、器具本体１０の前面の投光開口１００を覆うグローブ１３が、仮想線にて示すような平面ガラス４０であると、当該平面ガラス４０への光Ｌ２の入射角度が臨界角度をこえ平面ガラス４０にて反射光Ｌ３が生じるため、器具本体１０の外に放出する光Ｌ２の量が減少し照明に利用可能な光量が低下する。
【００２９】
これに対して、本実施においては、器具本体１０の投光開口を平面ガラス４０に代えてグローブ１３の形状をカップ型とし、表示灯５の正面及び左右の両側に、上記光Ｌ２の入射角θ４を直入射に近づけ臨界角度より小さくする面、より具体的には、入射角θ４を５０°以下にするように水平面に対して３０°〜９０°の範囲に傾斜した面を構成する傾斜部１３０を有する構成とし、グローブ１３による光Ｌ２の反射を抑え器具本体１０の外に放出する光量が減少するのを防止している。
【００３０】
図７は、上記グローブ１３の器具本体１０への取付構造を示す図である。器具本体１０の投光開口１００の全周には、図７に示すように、器具本体１０の縁をコ字状に折り曲げてなる嵌込部１０１が形成されており、この嵌込部１０１に、グローブ１３の縁１３Ａが嵌め込まれて固定される。グローブ１３の縁１３Ａには、全周にわたって、或いは、全周の複数箇所に、当該縁１３Ａを略Ｌ字状に折り曲げて成る返し部１３２が形成されている。したがって、グローブ１３の縁１３Ａを嵌込部１０１に嵌め込んだ際に、返し部１３２により嵌め合いが強まり、グローブ１３の固定強度が高められる。さらに、この嵌込部１０１には止水用のパッキン部材１５が充填されており、グローブ１３内への浸水防止が図られている。
【００３１】
ここで、一般に器具本体１０の前面の投光開口を覆う部材には、強化ガラスや硬質ガラス等のガラス材が使用されているが、上記のように、平面ガラス４０に代えて、カップ型のグローブ１３とした場合、このグローブ１３をガラス材にて形成すると質量が重く、また、破損落下の人的危険性がある。これに対して、本実施形態においては、上記のように、グローブ１３を透過性樹脂から形成しているため、グローブ１３が軽量化され、さらにグローブ１３の固定強度が高められているため、落下の危険性を回避できる。また、グローブ１３内への浸水防止が図られているため、浸水により、グローブ１３の荷重が増えることも無い。
【００３２】
以上説明したように、本実施形態によれば、放電ランプ１１と被照射面２Ａとの間に設けられ、放電ランプ１１から被照射面２Ａに直接向かう放射光（直射光）の一部を主反射鏡１２に向けて反射し当該主反射鏡１２から被照射面２Ａに向けて照射する副反射鏡１４を備える構成としたため、放電ランプ１１から被照射面２Ａへの直射光が副反射鏡１４により遮られて当該放電ランプ１１の写り込みによるハレーションの発生が防止可能となると共に、副反射鏡１４が反射する光が主反射鏡１２により反射され二次反射光として被照射面２Ａの照明に利用されるため被照射面２Ａの照度低下が抑制される。
【００３３】
また、本実施形態によれば、主反射鏡１２の反射光のうち、放電ランプ１１の放射光を直接反射してなる一次反射光が被照射面２Ａの最遠方領域３２を照射し、副反射鏡１４にて反射された光を反射してなる二次反射光が最遠方領域３２よりも近い中間領域３３を照射するように構成したため、被照射面２Ａの照度を十分維持しつつ均斉度が高められる。
【００３４】
また、本実施形態によれば、副反射鏡１４の幅を放電ランプ１１の全長よりも短くし、当該放電ランプ１１の両端部から放射された放射光が被照射面２Ａの上側の２隅Ｍ１、Ｍ２をそれぞれ照射する構成としたため、被照射面２Ａの上側の隅部での照度低下を防止することができる。
【００３５】
さらに、本実施形態によれば、副反射鏡１４の先端部の両側に切欠部１４０Ａ、１４０を形成し、それぞれの切欠部１４０Ａ、１４０Ｂから放射光を通過させ、照射方向Ａに沿った遠方の両側の２隅Ｍ３、Ｍ４を照射する構成としたため、これら２隅Ｍ３、Ｍ４における照度低下が防止可能となる。
【００３６】
また、本実施形態によれば、副反射鏡１４は、０°＜前方鉛直角θ１＜６０°、０°＜後方鉛直角θ２＜１２０°、０°＜水平角θ３＜１２０°の範囲の放射光を反射して非直射領域３０を形成する構成としたため、出幅Ｄ２が約１メートル以下という表示灯５と被照射面２Ａとが非常に近づいた状態で設置されたとしても、ハレーションの発生が防止される。
【００３７】
また、本実施形態によれば、副反射鏡１４に反射させずに放射される光Ｌ２の入射角θ４が臨界角度よりも小さくなる傾斜部１３０を有するグローブ１３を器具本体１０の投光開口１００に設ける構成としたため、グローブ１３における光Ｌ２の反射を抑制し、光量の低下を抑制できる。
【００３８】
また、本実施形態によれば、グローブ１３の縁１３Ａの全周或いは一部に返し部１３２を形成し、器具本体１０の投光開口１００の縁に沿って形成された嵌込部１０１に嵌め込み固定する構成としたため、上記返し部１３２によりグローブ１３と嵌込部１０１との嵌め合い強度が高められる。
さらに、本実施形態によれば、止水用のパッキン部材１５を嵌込部１０１に充填したため、グローブ１３内への浸水防止を図ることができ、また、グローブ１３を透過性樹脂剤から形成する構成としたため、グローブ１３の軽量化が図られる。
【００３９】
（第２実施形態）
次いで本発明の第２実施形態について説明する。
上述した第１実施形態では、主反射鏡１２の配光が縦型配光を有する表示灯５を説明したが、本実施形態では、横型配光を有する主反射鏡１１２を備えた表示灯１０５について説明する。
【００４０】
図８は表示灯１０５の側面及び正面を共に示す図であり、図９は表示灯１０５の底面を示す図である。なお、これらの図において、第１実施形態と同様の部材については同一の符号を付し、その説明を省略する。
表示灯１０５の主反射鏡１１２は、図９に示すように、左右中心軸Ｃ１方向と略直交する方向に長尺し、主反射鏡１１２の配光が照射方向Ａと略直交する方向に沿って延びる、いわゆる横型配光となっている。そして、このような配光を有する表示灯１０５によって、図１０に示すように、水平方向に延びた鉛直方向に延びた略矩形の広告看板２の照明に使用され、表示灯１０５に内蔵された副反射鏡１１４によって非直射領域３０が形成される。この副反射鏡１１４に設けられた切欠部１１４０Ａ、１１４０Ｂは、第１実施形態の切欠部１４０Ａ、１４０Ｂと同様である。
【００４１】
さらに、副反射鏡１１４は、第１実施形態と同様に、略放物線曲線に形成された反射面１１４Ａを有し、この反射面１１４Ａにて反射された直射光が主反射鏡１１２のエリア１１２０に入射され、当該主反射鏡１１２により配光制御されて二次反射光として被照射面２Ａに照射される。主反射鏡１１２の反射面は、略放物線曲線に形成されると共に、その一部に、副反射鏡１１４にて反射された光が入射する上記エリア１１２０が形成されている。このエリア１１２０の反射面は、入射された光を被照射面２Ａの左右両側（照射方向Ａと略直交する方向）に向けて反射する形状に形成されており、横長の広告看板２の左右両側遠方に向けて二次反射光が照射されるように成されている。
具体的には、図１１に示すように、表示灯１０５の照射方向Ａに沿って最遠方の最遠方領域３２を一次反射光が照射し、この最遠方領域３２よりも表示灯１０５に近い中間領域３３を二次反射光が照射するのは第１実施形態と同様である。ただし、本実施形態においては、主反射鏡１１２の配光が水平方向に延びた配光となるため、各領域３２、３３の境界は表示灯１０５を中心とした円弧を描くようになる。
【００４２】
このような表示灯１０５が前掲図１０に示すように、広告看板２の上縁３の中央に配置され、高さＨが４Ｍ（メートル）、横幅Ｗが６Ｍ（メートル）の寸法の広告看板２を照明する場合であって、広告看板２の被照射面２Ａから表示灯１０５の放電ランプ１１の中心までの垂直距離Ｄ１が略０．７１Ｍ（メートル）、被照射面２Ａから器具本体１０の頂部１０Ａまでの垂直距離である出幅Ｄ２が０．９８Ｍ（メートル）の位置にアーム４によって表示灯１０５が配置されている場合には、副反射鏡１４は、次の角度範囲の直射光を反射する。
【００４３】
すなわち、副反射鏡１４は、図８に示すように、放電ランプ１１の中心軸Ｃ２を通る鉛直軸Ｋ１に対し、０°＜前方鉛直角θ１＜６０°及び、０°＜後方鉛直角θ２＜１２０°の角度範囲の放射光を主反射鏡１２に向けて反射し、また、左右方向を規定する水平軸Ｋ２に対し、０°＜水平角θ３＜１２０°の角度範囲の角度範囲の放射光を主反射鏡１２に向けて反射して非直射領域３０を形成する。
より詳細には、本実施形態の副反射鏡１４は、鉛直角方向においては、０°＜前方鉛直角θ１＜３５°、０°＜後方鉛直角θ２＜１１２°の角度範囲の放射光を主反射鏡１２に向けて反射し、また、水平角方向においては、水平角θ３の角度範囲が６５°の範囲の放射光を主反射鏡１２に向けて反射している。
これにより、出幅Ｄ２を０．９８Ｍ（メートル）という小さいな値としても、４Ｍ×６Ｍの寸法の広告看板２を照明する際のハレーションの発生を防止し、さらに、被照射面２Ａの均斉度も高められる。
【００４４】
なお、上述した第１及び第２実施形態は、あくまでも本発明の一態様を示すものであり、本発明の範囲内で任意に変形および応用が可能である。
例えば、上述した各実施形態では、１灯の照明装置１により広告看板２を照明する場合を例示したが、これに限らず、広告看板２の横幅に応じて照明装置１の灯数を増やしても良い。また、照明対象を広告看板２としたが、これに限らず、道路に設けられた標識板などの各種表示板の表示面を照明しても良い。
また、広告看板２等の表示板の上側に表示灯５、１０５が配置され、鉛直方向を照射方向Ａとして上側から表示面を照明する場合を例示したが、これに限らず、表示灯５、１０５を表示板の左右縁部に配置し、水平方向を照射方向Ａとして左又は右方向から表示面を照明しても良い。
【図面の簡単な説明】
【００４５】
【図１】本発明の第１実施形態に係る照明装置の構成を示す図。
【図２】同実施形態の表示灯の正面及び側面を共に示す図。
【図３】同実施形態の表示灯の底面を示す図。
【図４】同実施形態の副反射鏡による非直射領域を示す図。
【図５】同実施形態の主反射鏡による配光制御を示す図。
【図６】同実施形態のグローブの形状を説明するための示す図。
【図７】同実施形態のグローブと器具本体との取付構造を説明するための図。
【図８】本発明の第２実施形態に係る表示灯の正面及び側面を共に示す図。
【図９】同実施形態の表示灯の底面を示す図。
【図１０】同実施形態の主反射鏡による配光制御を示す図。
【図１１】同実施形態の主反射鏡による配光制御を示す図。
【符号の説明】
【００４６】
１  照明装置
２  広告看板（表示板）
２Ａ  被照射面
５、１０５  表示灯
１０  器具本体
１１  放電ランプ（光源）
１２、１１２  主反射鏡
１３  グローブ
１４、１１４  副反射鏡
１５  パッキン部材
３０  非直射領域
３１  最近傍領域
３２  最遠方領域
３３    中間領域
１００  投光開口
１０１  嵌込部
１３０  傾斜部
１３２  返し部
Ａ  照射方向
Ｄ２  出幅
Ｌ１、Ｌ２  光
θ１  鉛直角
θ２  水平角
【図１】
2008216613.tif 000003
【図２】
2008216613.tif 000004
【図３】
2008216613.tif 000005
【図４】
2008216613.tif 000006
【図５】
2008216613.tif 000007
【図６】
2008216613.tif 000008
【図７】
2008216613.tif 000009
【図８】
2008216613.tif 000010
【図９】
2008216613.tif 000011
【図１０】
2008216613.tif 000012
【図１１】
2008216613.tif 000013